(57)【要約】【課題】設置現場での施工性を改善した水剤調剤台を提供する。【解決手段】水槽部と、前記水槽部に接続され、前記水槽部からの排水が流れる排水管部と、前記水槽部の下方に設けられ、前記排水管部が貫通する開口部３ａが形成される底部と、を備え、前記底部は、複数のパネル体３２…３２によって構成される板状の底板体３を備え、前記底板体３において複数の前記パネル体３２…３２の配置を変更することで、前記底部における前記開口部３ａの位置を変更可能である。【選択図】図２
0003203246.tif 000002
【実用新案登録請求の範囲】
【請求項１】
水槽部と、
前記水槽部に接続され、前記水槽部からの排水が流れる排水管部と、
前記水槽部の下方に設けられ、前記排水管部が貫通する開口部が形成される底部と、を備え、
前記底部は、複数のパネル体によって構成される板状の底板体を備え、前記底板体において複数の前記パネル体の配置を変更することで、前記底部における前記開口部の位置を変更可能である水剤調剤台。
【請求項２】
前記開口部は、複数の前記パネル体のうち少なくとも一つが備える貫通穴である、請求項１に記載の水剤調剤台。
【請求項３】
前記開口部は、前記底板体において前記パネル体が配置されない部分である、請求項１に記載の水剤調剤台。
【請求項４】
前記底部は、前記底板体を支持する支持部を備える、請求項１〜３のいずれかに記載の水剤調剤台。
【請求項５】
複数の前記パネル体のうち一部は、前記支持部に着脱可能に載置される、請求項４に記載の水剤調剤台。
【請求項６】
前記パネル体は平面視で多角形状であり、
複数の前記パネル体のうち一部は、多角形における端縁において外方に張り出した張出部を備え、
前記張出部は、当該パネル体に隣接する他のパネル体を載置できる、請求項５に記載の水剤調剤台。
【請求項７】
前記底板体は、平面積の異なる複数種類の前記パネル体からなる、請求項１〜６のいずれかに記載の水剤調剤台。
【請求項８】
前記パネル体は平面視で長方形状または正方形状であり、
前記底板体は平面視で長方形状であって、長辺側で複数の領域に分かれており、
前記分かれた複数の領域のうち一つの領域は、複数の前記パネル体により構成され、
前記分かれた複数の領域のうち他の領域は、当該領域の各々が１枚の前記パネル体により構成される、請求項１〜７のいずれかに記載の水剤調剤台。
【請求項９】
水槽部と、
前記水槽部に接続され、前記水槽部からの排水が流れる排水管部と、
前記水槽部の下方に設けられ、前記排水管部が貫通する開口部が形成される底部と、を備え、
前記底部は、１のパネル体によって構成される板状の底板体を備え、前記底板体において前記１のパネル体の配置を変更することで、前記底部における前記開口部の位置を変更可能である水剤調剤台。
【考案の詳細な説明】
【技術分野】
【０００１】
本考案は、病院や薬局等の調剤室に設置される水剤調剤台に関するものである。
【背景技術】
【０００２】
水剤調剤台は、例えば特許文献１に記載されたものであり、病院や薬局等の調剤室に設置され、主に水剤の調剤を行う際に用いられる。この水剤調剤台は、投薬容器や調剤器具の洗浄等、水剤の調剤に伴う作業に必要な水を流すことのできる流し台を備えている。この流し台は、調剤室外に通じる配水経路に接続される排水管を備える。
【０００３】
前記排水管は、水剤調剤台の底部に位置する底板体を貫通して建物側の配水経路（例えば下水管）に接続される。ところが、配水経路は調剤室において固定された位置に設けられているため、水剤調剤台の設置時に配水経路の位置に応じて、水剤調剤台の底板体に排水管が通過する貫通穴を形成する必要があった。このため施工工数を要することから、設置現場での施工性に問題があった。
【先行技術文献】
【特許文献】
【０００４】
【特許文献１】特開２００２−３５６８８７号公報
【考案の概要】
【考案が解決しようとする課題】
【０００５】
そこで本考案は、設置現場での施工性を改善した水剤調剤台を提供することを課題とする。
【課題を解決するための手段】
【０００６】
本考案の構成の一例に係る水剤調剤台は、水槽部と、前記水槽部に接続され、前記水槽部からの排水が流れる排水管部と、前記水槽部の下方に設けられ、前記排水管部が貫通する開口部が形成される底部と、を備え、前記底部は、複数のパネル体によって構成される板状の底板体を備え、前記底板体において複数の前記パネル体の配置を変更することで、前記底部における前記開口部の位置を変更可能である。
【０００７】
前記構成の一例によると、複数のパネル体によって底板体が構成され、底部における開口部に排水管部を貫通させることができる。このため、複数のパネル体の配置を変更することで、底部における開口部の位置を変更できる。よって、排水管部の位置を、水剤調剤台の設置箇所における配水経路に合わせることが容易である。
【０００８】
そして、前記開口部は、複数の前記パネル体のうち少なくとも一つが備える貫通穴とできる。
【０００９】
前記構成の一例によると、排水管部に対応する大きさの貫通穴を開口部として底板体に形成しておくことで、貫通穴に排水管部を容易に貫通させることができる。
【００１０】
そして、前記開口部は、前記底板体において前記パネル体が配置されない部分とできる。
【００１１】
前記構成の一例によると、貫通穴の無いパネル体だけで底板体に開口部を形成できる。
【００１２】
そして、前記底部は、前記底板体を支持する支持部を備えるものとできる。
【００１３】
前記構成の一例によると、支持部により底部における底板体の位置を固定できる。
【００１４】
そして、複数の前記パネル体のうち一部は、前記支持部に着脱可能に載置されるものとできる。
【００１５】
前記構成の一例によると、各パネル体が支持部に着脱可能に載置されるので、各パネル体の配置パターンを変更することを容易にできる。
【００１６】
そして、前記パネル体は平面視で多角形状であり、複数の前記パネル体のうち一部は、多角形における端縁において外方に張り出した張出部を備え、前記張出部は、当該パネル体に隣接する他のパネル体を載置できるよう構成できる。
【００１７】
前記構成の一例によると、張出部を備えたパネル体により、調剤台本体の底部において支持部の無い部分でもパネル体を支持できる。
【００１８】
そして、前記底板体は、平面積の異なる複数種類の前記パネル体からなるものとできる。
【００１９】
前記構成の一例によると、平面積の異なる各パネル体の並べ方により、調剤台本体の底部における開口部の位置に自由度を持たせられる。
【００２０】
そして、前記パネル体は平面視で長方形状または正方形状であり、長辺側で複数の領域に分かれており、前記分かれた複数の領域のうち一つの領域は、複数の前記パネル体により構成され、前記分かれた複数の領域のうち他の領域は、当該領域の各々が１枚の前記パネル体により構成されるものとできる。
【００２１】
前記構成の一例によると、パネル体が平面視で長方形状または正方形状である。このため、他の多角形形状に比べてパネル体の製造が容易である。また、底板体において分かれた複数の領域のうち、一つの領域だけが複数のパネル体により構成され、他の領域の各々は１枚のパネル体により構成される。開口部は前記一つの領域に形成できる。このため、底板体を構成する複数のパネル体の合計枚数を抑制できる。
【００２２】
また、本考案の構成の一例に係る水剤調剤台は、水槽部と、前記水槽部に接続され、前記水槽部からの排水が流れる排水管部と、前記水槽部の下方に設けられ、前記排水管部が貫通する開口部が形成される底部と、を備え、前記底部は、１のパネル体によって構成される板状の底板体を備え、前記底板体において前記１のパネル体の配置を変更することで、前記底部における前記開口部の位置を変更可能である。
【００２３】
前記構成の一例によると、１のパネル体によって底板体が構成され、開口部を排水管部が貫通する。このため、１のパネル体の配置を変更することで、底部における開口部の位置を変更できる。よって、排水管部の位置を、水剤調剤台の設置箇所における配水経路に合わせることが容易である。
【考案の効果】
【００２４】
本考案は、前記構成の一例によると、排水管部の位置を、水剤調剤台の設置箇所における配水経路に合わせることが容易である。よって、設置現場での施工性を改善した水剤調剤台を提供できる。
【図面の簡単な説明】
【００２５】
【図１】本考案の一実施形態に係る水剤調剤台を示す正面側の斜視図である。
【図２】同水剤調剤台の底部のレイアウトを示すため、底部を取り出して示した平面図である。
【図３】同水剤調剤台の底部のレイアウトを示すため、底部を取り出して示した平面図である。
【図４】（Ａ）（Ｂ）とも、同水剤調剤台に用いられるパネル体を示す、表裏逆にした状態の斜視図である。
【図５】同水剤調剤台の底部のレイアウトを図２、図３に示したものから変更した一例について、底部を取り出して示した平面図である。
【考案を実施するための形態】
【００２６】
次に、本考案につき、一実施形態を取り上げて説明を行う。なお、以下の説明における前後の表現は、図１に示す正面側を「前方」とし、背面側を「後方」としている。また左右の表現は、図１に示した状態の前方（正面側）から見た場合の左右に対応している。
【００２７】
本実施形態の水剤調剤台Ｐは、病院や薬局等の調剤室の床面に載置される調剤台本体１と、調剤台本体１の後方上部に設けられた棚部５とを備える。棚部５には水剤容器等、調剤に必要な物品を配置できる。
【００２８】
調剤台本体１は、上方にテーブル部１１と流し台１２とを備える。テーブル部１１は、調剤台本体１の上面の右約半分を占め、投薬容器や調剤器具等を置いて調剤作業を行うことのできる平坦な部分である。このテーブル部１１は本考案の水剤調剤台Ｐにおいては必須ではなく、設けないこともできる。
【００２９】
流し台１２は、調剤台本体１の上面の左約半分を占め、水剤の調剤に伴う作業に必要な水を流すことのできる部分である。この流し台１２は水槽部１２１（図１に破線で図示）と、水槽部１２１の上方に位置し、建物側の上水配管に接続されている給水部１２２を備える。給水部１２２から流されて前記作業に用いられた後の排水を流すため、水槽部１２１の底部には排水部１２３が備えられている。この排水部１２３の下方にはホース状の排水管部２が接続されており、調剤台本体１内を下方に延びている。この排水管部２により、調剤台本体１における底部に流し台１２の排水を導くことができる。
【００３０】
調剤台本体１の前面には開閉可能な扉部１３を備え、この扉部１３を開放することで調剤台本体１の内部の空間に物品を収納できる。そして調剤台本体１は、底部に位置する底板体３により床面と隔てられている。
【００３１】
図３に示すように、底板体３は前方寄りの固定領域Ｆ３ｆと後方寄りの可動領域Ｆ３ｂとに分けられている。各領域は左右に長い長方形状を呈している。固定領域Ｆ３ｆには固定底板３１が不動に配置されている。可動領域Ｆ３ｂには、四方の縁部に支持部４が配置されており、この支持部４に底板体３が支持されている。この支持部４により、調剤台本体１の底部における底板体３の位置を固定できる。図示していないが、支持部４はアングル材等により形成できる。図２、図３に示すように本実施形態の支持部４は可動領域Ｆ３ｂの各縁部に連続して設けられているが、これに限らず、断続的に設けられることもできる。
【００３２】
図２に示すように、底板体３は、板状であって、平面視で長方形状であるパネル体３２が複数集合してなる。複数のパネル体３２…３２は、複数種の配置パターン（例えば図２及び図３に示すパターンや図５に示すパターン）で底板体を形成できる。
【００３３】
本実施形態の各パネル体３２は、図４（Ａ）または図４（Ｂ）に示す（各図は表裏を逆に示している）ように、平板状材料である鋼板が屈曲されて形成されている。各パネル体３２は天板部３２１を備え、この天板部３２１により調剤台本体１における底部を上下に隔てることができる。この天板部３２１上に調剤に必要な物品等を載置できる。各パネル体３２には、後述の張出部３２２や被載置部３２３のように、鋼板が外方に屈曲された部分（張出部３２２）や内方に屈曲された部分（被載置部３２３）が、前記長方形状における端縁（端辺）に形成されている。このため、当該屈曲された部分に沿う方向での曲げ強度を向上でき、各パネル体３２の剛性を高めることができる。よって、各パネル体３２を軽量化できる。底板体３は、上下方向に開口した開口部としての貫通穴３ａを有し、この貫通穴３ａを排水管部２が貫通する。
【００３４】
可動領域Ｆ３ｂにおける四方の縁部に支持部４が配置されていることから、複数のパネル体３２…３２のうち一部（本実施形態では可動領域Ｆ３ｂにおける四方の縁部に接するパネル体３２…３２）が、支持部４に着脱可能に載置される。各パネル体３２が支持部４に着脱可能に載置されるので、各パネル体３２の配置パターンを変更することを容易にできる。
【００３５】
ここで、従来の水剤調剤台において、本考案の底板体３に相当する部分は１枚の板状体から形成されていた。この従来の構成では、排水管部２を建物側の配水経路に接続する際に、設置現場にて、前記板状体に貫通穴を形成する作業が必要であった。このため、現場の施工工数を要していた。また、貫通穴を形成する際における板状体の切削作業により、設置現場に粉塵が飛散する問題もあった。
【００３６】
これに対して本実施形態の底板体３は、パネル体３２が複数集合して構成されており、底板体３において開口した開口部としての貫通穴３ａに排水管部２を貫通させることができる。このため、例えば図２、図３に示す状態から図５に示す状態へのレイアウト変更のように、複数のパネル体３２…３２の配置を変更することで、調剤台本体１の底部における開口部（貫通穴３ａ）の位置を変更可能である。よって水剤調剤台Ｐ、特に調剤台本体１における排水管部２の位置を、水剤調剤台Ｐの設置箇所における配水経路に合わせることが容易である。更に、現場で切削作業が必要ないため、設置現場に粉塵が飛散することもない。よって、設置作業のクリーン化をはかることができる。
【００３７】
底板体３は、平面積の異なる複数種類のパネル体３２…３２からなる。本実施形態では、図３に示すレイアウトのように、可動領域Ｆ３ｂにおける前端から後端までを占め、左右方向寸法が異なるパネル体（大サイズ）３２Ｌが３枚設けられている。また、前記大サイズのパネル体３２Ｌの間における左端から右端までを占め、前後方向寸法が異なるパネル体（中サイズ）３２Ｍが３枚設けられている。そして、前記中サイズのパネル体３２Ｍの間における前端から後端までを占め、左右方向寸法が異なるパネル体（小サイズ）３２Ｓが４枚設けられている。前記小サイズのパネル体３２Ｓのうち１枚は、排水管部２が貫通する、開口部としての貫通穴３ａを備えている。このように底板体３が、平面積の異なる複数種類（本実施形態では大サイズ（３２Ｌ）、中サイズ（３２Ｍ）、小サイズ（３２Ｓ）が存在し、各サイズのパネル体でも寸法（幅寸法）が異なるものがある）のパネル体３２…３２からなることで、例えば図５に示すレイアウトのように各パネル体３２を並び変えることができる。このため、各パネル体３２の並べ方により、調剤台本体１の底部における開口部（貫通穴３ａ）の位置に自由度を持たせられる。
【００３８】
ここで、底板体３（本実施形態では特に底板体３のうち可動領域Ｆ３ｂの部分）は平面視で長方形状であって、長辺側で複数の領域（長辺方向に並ぶ第１領域Ｆ１（図３における左端部）〜第４領域Ｆ４（同右端部））に分かれている。前記分かれた複数の領域Ｆ１〜Ｆ４のうち一つの領域（図３に示す状態では第２領域Ｆ２が該当する）については、当該一つの領域Ｆ２が複数のパネル体３２…３２により構成されている。一方、前記分かれた複数の領域のうち他の領域（図３に示す状態では第１領域Ｆ１、第３領域Ｆ３、第４領域Ｆ４が該当する）については、当該他の領域Ｆ１，Ｆ３，Ｆ４の各々が１枚のパネル体３２により構成されており、１枚のパネル体３２における前端部と後端部とが支持部４に載置されている。そして開口部としての貫通穴３ａは前記一つの領域Ｆ２に形成できる。このように底板体３におけるパネル体３２の構成枚数を各領域で変えることにより、底板体３を構成する複数のパネル体３２…３２の合計枚数を抑制できる。
【００３９】
また、パネル体３２には、図４（Ａ）に示すように端縁において外方に張り出した張出部３２２を備えた張出部付パネル体３２ａと、図４（Ｂ）に示すように張出部３２２を備えず、張出部付パネル体３２ａまたは支持部４に載置される被載置部３２３を備える被載置パネル体３２ｂの二種がある。張出部付パネル体３２ａにおける張出部３２２は、図示のように端縁において外方に張り出した部分であって、鋼板が外方に屈曲して形成された部分である。つまりこの張出部３２２の端縁は、鋼板が下方に屈曲した上で外方に屈曲している。底板体３にて、複数の張出部３２２…３２２は、図２に破線で示すように配置され、張出部付パネル体３２ａに隣接する他のパネル体（張出部付パネル体３２ａまたは被載置パネル体３２ｂ）の被載置部３２３等を下方から支持することにより載置できる。よって、調剤台本体１の底部において支持部４の無い部分でも、張出部付パネル体３２ａによりパネル体３２（３２ａ，３２ｂ）が支持される。
【００４０】
一方、被載置パネル体３２ｂにおける被載置部３２３は、前記張出部３２２とは逆に、図４（Ｂ）に示すように端縁において内方に入り込んだ部分であって、鋼板が内方に屈曲して形成された部分である。つまりこの被載置部３２３の端縁は、鋼板が下方に屈曲した上で内方に屈曲した、断面形状が略コ字状とされている。なお、張出部付パネル体３２ａにおいても、張出部３２２の形成されていない端縁には、図４（Ａ）に示すように被載置部３２３が形成されている。
【００４１】
この被載置部３２３は張出部付パネル体３２ａにおける張出部３２２に載置される（被載置部３２３は支持部４に載置されることもできる）。被載置パネル体３２ｂが被載置部３２３を備えることにより、被載置パネル体３２ｂは張出部付パネル体３２ａで確実に支持される。
【００４２】
底板体３では少なくとも２枚の張出部付パネル体３２ａが間隔を空けて位置している。この場合、両張出部付パネル体３２ａ，３２ａの張出部３２２，３２２が対向するように位置している。具体的には、図３において第１領域Ｆ１と第３領域Ｆ３に配置された張出部付パネル体３２ａ，３２ａの張出部３２２，３２２によって、第２領域Ｆ２に配置された張出部付パネル体３２ａ…３２ａが支持される。また、第２領域Ｆ２に配置された張出部付パネル体３２ａ，３２ａの張出部３２２，３２２によって、第２領域Ｆ２に配置された被載置パネル体３２ｂ…３２ｂが支持される。
【００４３】
本実施形態では張出部付パネル体３２ａを用いることにより、支持部４を調剤台本体１の底部における少なくとも２箇所に対向して形成すれば、支持部４が張出部付パネル体３２ａを支持できる。この支持の構成において、張出部付パネル体３２ａは前記２箇所に形成された支持部４のうち一方と他方とに亘って、跨るように配置される。このため、図２に示すように、張出部３２２は前記２箇所の支持部４，４の間において、各支持部４に交わる方向（本実施形態では直交方向）に延びるように位置する。このように配置された張出部付パネル体３２ａはその他のパネル体３２（張出部付パネル体３２ａ及び被載置パネル体３２ｂ）を支持できる。このため、支持部４を少なくとも２箇所に形成しておけば、パネル体３２が複数集合してなる底板体３を支持することが可能である。よって、調剤台本体１における底部の構成を簡略化でき、設計の自由度も高めることができる。なお、本実施形態では支持部４が調剤台本体１の底部における４箇所に設けられているため、底板体３が四辺で支持される。よって、一層確実に底板体３を支持できる。
【００４４】
以上、本考案の一実施形態について説明したが、本考案は前記実施形態に限定されるものではなく、本考案の要旨を逸脱しない範囲内において種々の変更を加えることができる。
【００４５】
例えば、パネル体３２は前記実施形態では平面視で長方形状であったが、この形状に限定されない。例えば正方形、Ｌ字形、三角形等、種々の多角形状とできる。また場合によっては円形や楕円形等、多角形でない形状とすることもできる。なお、長方形状または正方形状とすると、他の多角形形状に比べてパネル体３２の製造が容易という利点がある。また、パネル体３２は板状に限定されず、例えば棒状や網状であってもよい。
【００４６】
また、前記実施形態のパネル体３２は鋼板製であったが、これに限定されず、例えば合成樹脂製、木製、チップ集成材製等、種々の材料からなるものとできる。
【００４７】
また、前記実施形態では、可動領域Ｆ３ｂにおける四方の縁部に支持部４が配置されていたが、例えば支持部４が格子状に配置されることもでき、種々の配置態様とできる。
【００４８】
また、支持部４による底板体３の支持は直接なされてもよいし、他の部材を介して間接的になされてもよい。
【００４９】
また、開口部は前記実施形態のようにパネル体３２のうち少なくとも一つが備える貫通穴３ａであってもよいし、底板体３においてパネル体３２が配置されない部分であってもよい。前者の場合、排水管部２に対応する大きさの貫通穴３ａを形成できる利点がある。また、後者の場合、貫通穴の無いパネル体３２だけで開口部を形成できる。
【００５０】
また、可動領域Ｆ３ｂにおける底板体３は、１枚のパネル体３２により構成されてもよい。この場合における開口部は、前記１枚のパネル体３２が備える貫通穴により形成されていてもよいし、底板体３において前記１枚のパネル体３２が配置されない部分により形成されていてもよい。このように、１枚のパネル体３２によって底板体３が構成され、開口部を排水管部２が貫通するように構成することもできる。この構成では、１枚のパネル体３２の配置を、方向を変える等して変更することで、水剤調剤台Ｐの底部における開口部の位置を変更できる。よって、排水管部２の位置を、水剤調剤台Ｐの設置箇所における配水経路に合わせることが容易である。
【００５１】
また、前記実施形態では、底板体３の貫通穴３ａに排水管部２のみが貫通するよう構成されていたが、給水部１２２に上水を供給する上水配管を貫通させるよう構成することもできる。
【００５２】
また、底板体３においてパネル体３２が配置されない部分を開口部とし、この開口部に上水配管を貫通させるよう構成することもできる。
【符号の説明】
【００５３】
Ｐ          水剤調剤台
１          調剤台本体
１２        流し台
１２１      水槽部
２          排水管部
３          底板体
３ａ        開口部、貫通穴
３２        パネル体
３２ａ      張出部を備えるパネル体、張出部付パネル体
３２ｂ      張出部を備えないパネル体、被載置パネル体
３２２      張出部
４          支持部
Ｆ１〜Ｆ４  複数の領域
【図１】
0003203246.tif 000003
【図２】
0003203246.tif 000004
【図３】
0003203246.tif 000005
【図４】
0003203246.tif 000006
【図５】
0003203246.tif 000007